【手続補正書】
【提出日】平成22年2月2日(2010.2.2)
【手続補正１】
【補正対象書類名】特許請求の範囲
【補正対象項目名】全文
【補正方法】変更
【補正の内容】
【特許請求の範囲】
【請求項１】
花火としてのサーミックランスの使用。
【請求項２】
サーミックランス（１０２）が、酸化ガスインレット端部（１０６）及びアウトレット端部（１０８）を有する燃焼性金属外管（１０４）、前記２つの端部は、少なくとも１つのガス流路（１１８）に沿ってガス流接続している；及び
ランス（１０２）を点火するため、外管（１０４）のアウトレット端部（１０８）のところに取り付けられた点火システム（１２０，１２２，１２４，１２６，５５８）：
を含む、請求項１に記載の使用。
【請求項３】
前記点火システムが、ローター（５６０，５６８）及び燃焼性筐体（５６２，５７０）を含む摩擦点火システム（５５８）であり、筐体（５６２，５７０）は、ガス流路（１１８）又は少なくとも１つのガス流路（１１８）とガス流接続して取り付けられているガスインレット（５６４）及び少なくとも１つのガスアウトレット（５６６）を含み、筐体（５６２，５７０）が、ガスインレット（５６４）及び一又は複数のガスアウトレット（５６６）の間のガス流経路を規定し、ローター（５６０，５６８）が、前記ガス流経路に沿ったガスの流れにより、当該筐体（５６２，５７０）内で回転するように、前記ガス流経路内に取り付けられている、請求項２に記載の使用。
【請求項４】
燃焼性筐体（５６２）が、プラスチック材料を含む、請求項３に記載の使用。
【請求項５】
ローター（５６０，５６８）が、筐体（５６２，５７０）と直接接して取り付けられている、請求項３又は請求項４に記載の使用。
【請求項６】
摩擦点火システム（５５８）が、ローター（５６０，５６８）及び筐体（５６２，５７０）の間に少なくとも一箇所の接触点を含み、そして前記少なくとも一箇所の接触点のところに研磨材料が提供されている、請求項５に記載の使用。
【請求項７】
摩擦マッチ組成物（５７２）が、ローター（５６０，５６８）の一部及び筐体（５６２，５７０）の一部の間に提供されている、請求項３〜６のいずれか一項に記載の使用。
【請求項８】
前記サーミックランスが、外管（１０４）のアウトレット端部（１０８）及び摩擦点火システム（５５８）のガスインレット（５６４）の間に、同軸方向に取り付けられた燃焼性のプラスチック製の管状ヒューズ（１２０，１２２）を含む、請求項３〜７のいずれか一項に記載の使用。
【請求項９】
前記点火システムが、下記；
燃焼性のプラスチック製ヒューズ（１２０，１２２）；及び
ヒューズ（１２０，１２２）を点火するための電気点火システム（１２６）：
を含む、請求項２に記載の使用。
【請求項１０】
プラスチック製ヒューズ（１２０，１２２）が管状であり、そして外管（１０４）のアウトレット端部（１０８）のところに同軸方向に取り付けられている、請求項９に記載の使用。
【請求項１１】
前記プラスチック製ヒューズが、前記ヒューズから前記外管に伸びる複数の燃焼性金属ワイヤ（１２４）をさらに含む、請求項８〜１０のいずれか一項に記載の使用。
【請求項１２】
プラスチック製ヒューズ（１２０，１２２）が、ポリウレタン；ポリスチレン；ポリエチレン；及びナイロンから成る群から選択されるプラスチック材料から作られる、請求項８〜１１のいずれか一項に記載の使用。
【請求項１３】
前記サーミックランスが、前記ヒューズを通過するガス流量を制御するために、前記外管のアウトレット末端のところ、あるいは前記ヒューズ内に少なくとも一つの第一のガス流量制御アパーチュア（１２８）を含む、請求項２〜１２のいずれか一項に記載の使用。
【請求項１４】
前記サーミックランスが、下記；
酸化ガスインレット端部（１１２）及びアウトレット端部（１１４）を有する燃焼性金属内管（１１０）、当該内管は、前記外管のアウトレット端部を越えて伸びる当該内管のアウトレット端部を備え、前記外管と同軸方向に提供される；及び
複数の燃焼性金属棒（１１６）、当該複数の燃焼性金属棒の一部は、内管（１１０）に囲まれ、そして残りの部分は、内管（１１０）及び外管（１０４）の間に提供され、棒（１１６）は、前記外管の各端部の間のガス流接続を提供する前記外管内のガス流路（１１８）を規定する：
を含む、請求項２〜１３のいずれか一項に記載の使用。
【請求項１５】
前記サーミックランスが、ランス（１０２）を点火するために、外管（１０４）のアウトレット端部（１０８）のところに取り付けられた燃焼性のプラスチック製ヒューズ（１２０，１２２）を含み、
当該プラスチック製ヒューズが２つの部品、前記内管のアウトレット端部上に取り付けられた第一の部品（１２０）及び前記外管のアウトレット端部上に取り付けられた第二の部品（１２２）を有する、
請求項１４に記載の使用。
【請求項１６】
前記プラスチック製ヒューズが、前記ヒューズの第一の部品から前記内管内に伸びる第一の複数の燃焼性金属ワイヤ（１２４）と、前記ヒューズの第二の部品から前記外管内に伸びる第二の複数の燃焼性金属ワイヤ（１２４）とをさらに含む、請求項１５に記載の使用。
【請求項１７】
前記サーミックランスが、前記外管を通す酸化ガスの流量を制御するために、当該サーミックランスの酸化ガスインレット端部のところに、第二のガス流量制御アパーチュア（１３０）を規定する前記外管の内面から放射状に突出する一体型の壁を含む、請求項２〜１６のいずれか一項に記載の使用。
【請求項１８】
前記サーミックランスが、前記燃焼性金属の表面の少なくとも一部に提供される少なくとも１種の着色剤を含む、請求項２〜１７のいずれか一項に記載の使用。
【請求項１９】
前記サーミックランスが、前記外管を囲む、少なくとも１つの紙の層を含む、請求項２〜１８のいずれか一項に記載の使用。
【請求項２０】
前記サーミックランスが、下記；
当該ランスを通る酸化ガスの流量を制御するための常時閉型ソレノイド弁（３３４）；
前記弁と、前記サーミックランスの外管の酸化ガスインレット端部との間のガス流接続を提供するための第一の導管（３３２）；
電流を発生させるための手段（３４８）；
前記ソレノイド弁と、前記電流を発生させるための手段との間の電気回路を提供するための電気的接続（３４４）；及び
前記電気回路の周辺の電流の各弁への流れを制御するためのスイッチ（３４６）：
を含む、請求項２〜１９のいずれか一項に記載の使用。
【請求項２１】
前記電気的接続が、前記ランスの外管の酸化ガスインレット端部のところに取り付けられた融解可能な回路ブレーカを含む、請求項２０に記載の使用。
【請求項２２】
前記サーミックランスが、前記ソレノイド弁と平行するバイパス弁を含み、前記ソレノイド弁を閉じる一方で、前記サーミックランスを点火するための「点火」流速において酸化ガスを前記サーミックランスに供給する、請求項２０又は２１に記載の使用。
【請求項２３】
前記サーミックランスが、当該ランスの外管の酸化ガスインレット端部のところに、ガス流路内に取り付けられたばね装填型弁を含み、
当該弁は、融解可能な移動止めにより、開放位置に偏っている、
請求項２〜２２のいずれか一項に記載の使用。
【請求項２４】
固体の酸化材料が、前記ランスのアウトレット端部の少なくとも一部に提供されている、請求項２〜２３のいずれか一項に記載の使用。
【請求項２５】
前記燃焼性金属又は少なくとも一種の燃焼性金属が、鉄及びアルミニウムから選択される第一の金属の少なくとも一種と、周期表のＩＡ族及びＩＩＡ族の金属から選択される第二の金属の少なくとも一種とを含む合金である、請求項２〜２４のいずれか一項に記載の使用。
【請求項２６】
下記；
加圧された酸化ガスの供給源（３３８，３４０）；
複数のサーミックランス（１０２）；
各サーミックランス用の酸化ガス流量制御弁（３３４）；
前記弁及び前記サーミックランスの各ペア用の第一の導管（３３２）、それぞれの第一の導管は、前記弁と前記サーミックランスの外管の酸化ガスインレット端部との間のガス流接続を提供する；及び
前記加圧された酸化ガスの供給源及び各弁の間のガス流接続を提供するための第二の導管（３３６）：
を含む花火のシステム。
【請求項２７】
前記弁を遠隔操作する制御システム（３４６）を含む、請求項２６に記載のシステム。
【請求項２８】
各弁（３３４）が、常時閉型ソレノイド弁であり、
前記制御システムが、下記；
電流を発生させるための手段（３４８）；
各ソレノイド弁及び前記電流を発生させるための手段の間に電気回路を提供するための電気的接続（３４４）；及び
各電気回路の周辺の電流の各弁への流れを制御するためのスイッチ（３４６）：
を含む、
請求項２７に記載のシステム。
【請求項２９】
前記ソレノイド弁を閉じる一方で、前記サーミックランスを点火するための「点火」流速において酸化ガスをサーミックランスに供給するために、各流量制御弁と平行する別個のバイパス弁を含む、請求項２６〜２８のいずれか一項に記載のシステム。
【請求項３０】
下記；
加圧された不活性ガスの供給源（４５０，４５２）；
不活性ガス流量制御弁（４５６）；
加圧された不活性ガスの供給源及び前記不活性ガス流量制御弁の間のガス流接続を提供するための第三の導管（４５４）：
を含み、
前記不活性ガス流量制御弁が、各ランスとガス流接続している、
請求項２６〜２９のいずれか一項に記載のシステム。
【請求項３１】
下記；
少なくとも１種の着色剤の供給源；
前記第二の導管において前記供給源から酸化ガスの流れに、前記着色剤を添加するための手段：
を含む、請求項２６〜３０のいずれか一項に記載のシステム。
【請求項３２】
前記ランス又は少なくとも１つのランスが、請求項２〜２５のいずれか一項に記載されている、請求項２６〜３１のいずれか一項に記載のシステム。
【請求項３３】
花火として少なくとも１つのサーミックランス（１０２）を用いる方法であって、
次の各ステップ；
「点火」流速において、加圧された酸化ガスを、サーミックランス（１０２）に通すステップ；
サーミックランス（１０２）を点火するステップ；
点火後、前記花火が必要とされるまで、「待機」流速において、前記ランスを通す加圧された酸化ガスの流量を維持するステップ；次いで
要求された場合に、前記「待機」流速から「表示」流速に、加圧された酸化ガスの流量を増加させるステップ：
を含む、
前記方法。
【請求項３４】
前記「点火」流速が、１Ｌ／分〜１０Ｌ／分である、請求項３３に記載の方法。
【請求項３５】
前記「待機」流速が、１Ｌ／分〜１０Ｌ／分である、請求項３３又は請求項３４に記載の方法。
【請求項３６】
前記「表示」流速が、１０Ｌ／分〜１０００Ｌ／分である、請求項３３〜３５のいずれか一項に記載の方法。
【請求項３７】
前記「表示」流速を、前記表示を変化させるために要求されるとおりに変化させる、請求項３３〜３６のいずれか一項に記載の方法。
【請求項３８】
下記；
酸化ガスインレット端部（１０６）及びアウトレット端部（１０８）を有する燃焼性金属外管（１０４）、前記２つの端部は、少なくとも１つのガス流路（１１８）に沿ってガス流接続している；及び
外管（１０４）のアウトレット端部（１０８）のところに取り付けられた摩擦点火システム（５５８）、摩擦点火システム（５５８）は、ローター（５６０，５６８）及び燃焼性筐体（５６２，５７０）を含み、筐体（５６２，５７０）が、ガス流路（１１８）又は少なくとも１つのガス流路（１１８）とガス流接続して取り付けられているガスインレット（５６４）と、少なくとも１つのガスアウトレット（５６６）とを含み、筐体（５６２，５７０）が、ガスインレット（５６４）及び一又は複数のガスアウトレット（５６６）の間のガス流経路を規定し、ローター（５６０，５６８）が、前記ガス流経路に沿ったガスの流れにより、筐体（５６２，５７０）内で回転するように、前記ガス流経路内に取り付けられている：
を含むサーミックランス。
【請求項３９】
下記；
酸化ガスインレット端部（１０６）及びアウトレット端部（１０８）を有する燃焼性金属外管（１０４）、前記２つの端部は、少なくとも１つのガス流路（１１８）に沿ってガス流接続している；
ランス（１０２）を点火するために、外管（１０４）のアウトレット端部（１０８）のところに取り付けられた燃焼性のプラスチック製ヒューズ（１２０，１２２）；及び
ヒューズ（１２０，１２２）を点火するための電気点火システム（１２６）：
を含むサーミックランスであって、
前記プラスチック製ヒューズが、前記ヒューズから前記外管内に伸びる複数の燃焼性金属ワイヤ（１２４）をさらに含む、
前記サーミックランス。
【請求項４０】
請求項２〜２５のいずれか一項において規定されるような、請求項３８又は請求項３９に記載のサーミックランス。